(57)【要約】【課題】  組立作業及び取替作業を容易かつ迅速に行うことができながらも、コイルスプリングの初巻き状態を確実に保持することができるスクリーン用巻取ロール機構を提供する点にある。【解決手段】  スクリーンを巻き取るための巻取ロール６内に設けた支軸７の一端側と支軸７の他端側に備えられた回転体８との間にコイルスプリング９を配設し、支軸７に巻取ロール６の回転に伴って回転する第２回転体１０を軸方向に移動させる螺子部１１を備えさせ、巻取ロール６の巻取側への回転により螺子部１１を移動する第２回転体１０に接当する接当部を支軸７に備えさせ、第２回転体１０を接当部に接当させた状態にすると共にコイルスプリング９に初巻付勢力を付与した状態において回転体８と第２回転体１０とに渡って一体回転状態で外装し、かつ、巻取ロール６に一体回転状態で内装する筒状体１４を設けた。【選択図】        図２
2005157155.tif 000002
【特許請求の範囲】
【請求項１】
スクリーンを巻き取るための巻取ロール内に該巻取ロールを回転自在に支持するための支軸を設け、前記支軸の一端側と該支軸の他端側に前記巻取ロールに一体回転可能に備えられた回転体との間にコイルスプリングを配設し、前記コイルスプリングの戻り付勢力を利用して前記巻取ロールを駆動回転させて前記スクリーンを巻取自在に構成してなるスクリーン用巻取ロール機構において、前記支軸に前記巻取ロールの回転に伴って回転する第２回転体を軸方向に移動させるための螺子部を備えさせ、前記巻取ロールの巻取側への回転により前記螺子部を移動する前記第２回転体に接当して該巻取ロールのスクリーン巻取完了位置を規制するための接当部を前記支軸に備えさせ、前記第２回転体を前記接当部に接当させた状態にすると共に前記コイルスプリングに初巻付勢力を付与した状態において前記回転体と前記第２回転体とに渡って一体回転状態で外装可能で、かつ、前記巻取ロールに一体回転状態で内装可能な筒状体を設けたことを特徴とするスクリーン用巻取ロール機構。
【請求項２】
前記支軸の他端に端部キャップを備えてなる請求項１記載のスクリーン用巻取ロール機構。
【請求項３】
前記接当部が、前記螺子部に螺合されたダブルナットからなる請求項１記載のスクリーン用巻取ロール機構。
【請求項４】
前記筒状体の内面側に内方に突出する突起部を備えさせ、前記回転体及び第２回転体に軸方向から前記筒状体を移動させて外装させることにより該筒状体の突起部と係合して両者を回転可能とするための被係合部を該回転体及び第２回転体に備えさせてなる請求項１〜３のいずれかに記載のスクリーン用巻取ロール機構。
【発明の詳細な説明】
【技術分野】
【０００１】
本発明は、スクリーンを巻き取るための巻取ロール内に該巻取ロールを回転自在に支持するための支軸を設け、前記支軸の一端側と該支軸の他端側に前記巻取ロールに一体回転可能に備えられた回転体との間にコイルスプリングを配設し、前記コイルスプリングの戻り付勢力を利用して前記巻取ロールを駆動回転させて前記スクリーンを巻取自在に構成してなるスクリーン用巻取ロール機構に関する。
【背景技術】
【０００２】
上記スクリーン用巻取ロール機構においては、スクリーンを確実に巻取ることができるようにスクリーン巻取完了位置において所定の巻取付勢力が付与されるように巻取ロールの１／３以上の長さを有するコイルスプリングを初巻きしておくことになる。そして、このように初巻きした状態にあるコイルスプリングの両端、つまりコイルスプリングの一端が係止固定された支軸とコイルスプリングの他端が係止固定された回転体（支軸に相対回転自在に取り付けられている）とが回転しないように（初巻きが解けないように）それらを両手で掴んだ状態で巻取ロールを被せた後、ケーシングに備える左右のブラケットに支軸の両端を挿入してスクリーンの取付作業が完了するようになっている。尚、１／３以上の長さを有する弾性力の大きなコイルスプリングを初巻きするためには、大きな回転操作力を必要とするため、一旦初巻分が巻き戻ったコイルスプリングを再度初巻きすることは非常に困難性を有していた。
上記作業では、ブラケットに支軸の両端を挿入するまでは、初巻きされたコイルスプリングが解けることがないようにしなければならず、作業が非常に手間のかかる煩わしいものであった。
そこで、支軸の一端に相対回転自在で、かつ、巻取ロールに一体回転自在な駆動環を軸方向に移動自在に外嵌し、支軸の他端に軸受けを一体回転自在に取り付け、駆動環と軸受けとの間にコイルスプリングを張設し、駆動環の内面に内方に突出する突起に回転方向において係合する係合片を前記支軸の一端に備えさせて、非回転状態の軸芯に対して駆動環を所定方向に回転させることにより駆動環を、それの突起が支軸の係合片を乗り越えることにより支軸の駆動環側へ移動させて、所定の初巻きを行い、手を離すことにより駆動環が一回転するまでに駆動環の突起が支軸の係合片に係合してコイルスプリングの初巻きを保持する状態になる。この状態から巻取ロールを外嵌してからブラケットに支軸の両端を支持させると同時に巻取ロールを回転させながら支軸を駆動環側のブラケット側へ移動させることにより前記係合を解除して支軸の係合片が駆動環内に位置した状態にすることで初巻きをかけたスクリーンの取り付けが完了することができるように構成している（例えば、特許文献１参照。）。
【特許文献１】実開昭６１−７８９８９号公報
【発明の開示】
【発明が解決しようとする課題】
【０００３】
特許文献１のものは、非回転状態の支軸に対して駆動環を回転させてから手を離すことにより、駆動環が一回転するまでに駆動環の突起が支軸の係合片に係合して、コイルスプリングの初巻きを保持する状態になった後、前記係合が不測に解除してしまうことがあるだけでなく、ブラケットへの装着時に前記係合を解除する作業が必要になり、作業が煩わしいものになるだけでなく、前記係合を解除することを忘れた場合にスクリーンの巻き取りや巻き降ろし（繰り出し）を行うことができないことがあった。
又、近年においてスクリーンを例えば生地の異なる他のスクリーンのものと取り替えたい場合において、前記係合を解除する作業が必要になるため、取り替え作業を迅速に行うことができないだけでなく、その作業に熟練が必要であり、未熟練者（ユーザー）が取り替えることが難しいものであった。
又、前記スクリーンの取り替えを行う際に、前記係合解除を慎重に行わなければコイルスプリングの初巻分が戻ってしまうことがある。特に未熟練者（ユーザー）などが取り替え作業を行うと、前記のような結果になることが多い。因みに、前記コイルスプリングの初巻分が戻ってしまった後、コイルスプリングに再度初巻きを行うことが困難であり、改善の余地があった。
【０００４】
本発明が前述の状況に鑑み、解決しようとするところは、組み立て作業及び取り替え作業を容易かつ迅速に行うことができながらも、コイルスプリングの初巻き状態を確実に保持することができるスクリーン用巻取ロール機構を提供する点にある。
【課題を解決するための手段】
【０００５】
本発明のスクリーン用巻取ロール機構は、前述の課題解決のために、映写用のスクリーンを巻き取るための巻取ロール内に該巻取ロールを回転自在に支持するための支軸を設け、前記支軸の一端側と該支軸の他端側に前記巻取ロールに一体回転可能に備えられた回転体との間にコイルスプリングを配設し、前記コイルスプリングの戻り付勢力を利用して前記巻取ロールを駆動回転させて前記スクリーンを巻取自在に構成してなるスクリーン用巻取ロール機構において、前記支軸に前記巻取ロールの回転に伴って回転する第２回転体を軸方向に移動させるための螺子部を備えさせ、前記巻取ロールの巻取側への回転により前記螺子部を移動する前記第２回転体に接当して該巻取ロールのスクリーン巻取完了位置を規制するための接当部を前記支軸に備えさせ、前記第２回転体を前記接当部に接当させた状態にすると共に前記コイルスプリングに初巻付勢力を付与した状態において前記回転体と前記第２回転体とに渡って一体回転可能に外装し、かつ、前記巻取ロールに一体回転可能に内装する筒状体を設けたことを特徴とするスクリーン用巻取ロール機構。
上記のようにコイルスプリングに初巻付勢力を付与した状態において筒状体を回転体と第２回転体とに渡って一体回転可能に外装することによって、コイルスプリングからの戻り力が回転体を介して筒状体に伝達されることになるが、第２回転体が突出部に接当している状態であるから、第２回転体は回転できない状態にあり、筒状体の回転が第２回転体にて阻止されることになり、コイルスプリングに初巻付勢力を付与した状態を保持することができる。そして、この状態において巻取ロールを装着して支軸の両端を左右のブラケットに支持させることにより、スクリーンの取付作業を完了することができる。前記巻き取られたスクリーンをスプリングの付勢力に抗して下方（水平方向でも斜め方向でもよい）へ引き出すことにより、巻取ロールが回転し、この回転力が筒状体を介して第２回転体に伝達されて、第２回転体が回転しながら接当部に接当する側とは反対側へ移動するのである。
又、前記支軸の他端に端部キャップを備えてもよい。
又、前記接当部を、前記螺子部に螺合されたダブルナットから構成してもよい。
又、前記筒状体の内面側に内方に突出する突起部を備えさせ、前記回転体及び第２回転体に軸方向から前記筒状体を移動させて外装させることにより該筒状体の突起部と係合して両者を回転可能とするための被係合部を該回転体及び第２回転体に備えさせてもよい。
【発明の効果】
【０００６】
巻取ロールのスクリーン巻取完了位置を規制するための接当部に第２回転体を接当させた状態にした状態でコイルスプリングに初巻付勢力を付与してから、筒状体を回転体と第２回転体とに筒状体を装着するだけで、コイルスプリングに初巻付勢力を付与した状態を確実に保持することができ、しかもそのままの状態で使用することができるから、スクリーンの取り付け作業は勿論のこと、取り替え作業を容易迅速に行うことができ、未熟練者であっても容易に作業することができる作業面において有利になる。しかも、取り替え作業時において従来構成のように不測にコイルスプリングの初巻きが解けることがなく、信頼性の高いスクリーン用巻取ロール機構を提供することができる。
【０００７】
接当部を、螺子部に螺合されたダブルナットから構成することによって、ダブルナットの螺合位置を変更するだけで、巻取ロールのスクリーン巻取完了位置を変更することができる。
【０００８】
筒状体に備えさせた突起部に係合する被係合部を、回転体及び第２回転体に備えさせることによって、筒状体を装着するだけで、筒状体を２つの回転体に一体回転可能な状態にすることができる。
【発明を実施するための最良の形態】
【０００９】
図１に、スクリーン用巻取ロール機構Ａを長手方向一側に備えたスクリーン装置を示し、そのスクリーン用巻取ロール機構Ａにて巻き取られた映写用のスクリーン１を下方に引き出してプロジェクターなどからの映像を映し出し可能となる使用姿勢に姿勢変更した状態を示している（図では、正面視において左側のみ図示している）。図１に示す２は、２点鎖線で示すケーシング４内へ巻取収納される前記スクリーン１の巻取位置をケーシング４の開口に接当することで規制するためのバーであり、それの左右方向ほぼ中央に取っ手３を取り付けている。尚、スクリーン１の巻取位置の規制は、前記バー２にて補助的に行うものであり、実際には後述する第２回転体１０にて行うことになり、ケーシング４の開口にバー２が接当する直前で停止するようにしてもよい。従って、前記ケーシング４を省略して実施することもできる。又、図１では、左右一対のほぼＬ字形状のブラケット５（図では左側のみ図示している）うちの少なくとも一方のブラケット５を取り外してからそれらブラケット５に、前記スクリーン用巻取ロール機構Ａを構成する巻取ロール６の両端からそれぞれ外方へ突出する２本の支軸７（一方側は図示せず）を貫通支持させて取り外したブラケット５を取り付ける構成にしているが、例えば支軸７を入り込ませることができるような円弧形状の切欠きが形成されたブラケットであれば、ブラケットを取り外すことなく、切欠きに支軸を係止するだけで済み、ブラケットの形状はどのようなものであってもよい。図１に示すＮは、前記ブラケット５を貫通して突出した支軸７に螺合させて支軸７をブラケット５に固定するためのナットであるが、嵌合のみで固定する場合には、ナットを省略してもよい。ここでは、壁にスクリーン装置を固定したものを示しているが、天井にスクリーン装置を固定して実施してもよい。また、２本の支軸を巻取ロール６内に備えさせる構成の他、巻取ロール６より長い１本の支軸を巻取ロール６内に備えさせた構成であってもよい。また、スクリーン用巻取ロール機構Ａを正面視において左側の支軸に備えさせる他、左側の支軸に備えさせて実施してもよい。この場合、ダブルナット１２と第２回転体１０との位置関係及びスプリング９の巻き方向を右側に備えさせる場合と逆にして組み付けることになる。また、スクリーン用巻取ロール機構Ａを両方の支軸に備えさせたものであってもよい。
【００１０】
図１〜図４に示すように、前記スクリーン１を巻き取るための円筒状で金属製（金属とほぼ同等の強度を有するプラスチック製であってもよい）の巻取ロール６内に該巻取ロール６を回転自在に支持するための棒状で金属製（金属とほぼ同等の強度を有するプラスチック製であってもよい）の支軸７を設け、前記支軸７の一端側と該支軸７の他端側に前記巻取ロール６に一体回転可能に備えられた円筒状でプラスチック製（金属などの他の材料でもよい）の回転体８との間に金属製（金属とほぼ同等の強度を有するプラスチック製であってもよい）のコイルスプリング９を配設し、前記コイルスプリング９の戻り付勢力を利用して前記巻取ロール６を駆動回転させて前記スクリーン１を巻取自在に構成している。図２及び図３に示すＫは、スクリーン１を引き出す引き出し方向にのみ巻取ロール６を回転自在とする一方向クラッチであるが、別のストップ機構を取り付けた場合は、一方向クラッチを省略してもよい。
又、前記支軸７の他端側に前記巻取ロール６の回転に伴って回転する円盤状でプラスチック製（金属とほぼ同等の強度を有するプラスチック製であってもよい）の第２回転体１０を軸方向に移動させるための螺子部１１を一体形成し（別体形成した螺子部を支軸７に外嵌固着してもよい）、前記巻取ロール６の巻取側への回転により前記螺子部１１を移動する前記第２回転体１０に接当して該巻取ロール６のスクリーン巻取完了位置を規制するための接当部としてのダブルナット１２を前記支軸７の螺子部１１に螺合して備えさせ、前記支軸７の他端にプラスチック製（金属などの他の材料でもよい）の端部キャップ１３を回転自在に備えさせ、前記第２回転体１０を前記接当部１２に接当させた状態にすると共に前記コイルスプリングに初巻付勢力を付与した状態において前記回転体８と前記第２回転体１０と端部キャップ１３とに渡って一体回転可能に外装し、かつ、前記巻取ロール６に一体回転可能に内装する円筒状で金属製の（金属とほぼ同等の強度を有するプラスチック製であってもよい）筒状体１４を設けて、前記スクリーン用巻取ロール機構Ａを構成している。
【００１１】
図４にも示すように、前記筒状体１４は、ほぼ同一外径を有する３つの部品、つまり前記回転体８、前記第２回転体１０、前記端部キャップ１３よりも大きな外径寸法を有すると共に、それの内面にそれら３つの部材８，１０，１３の外周面に接触して筒状体１４を外装したときの姿勢を所定姿勢に保持するための内方側に突出すると共に軸方向に長い形状の受け部１５の多数を周方向に所定間隔を置いて設け、更に、それら特定の２つの受け部１５，１５間に位置させて内方側に突出すると共に軸方向に長い板状の突起部１６を該筒状体１４の内面に備えさせている。そして、支軸７に備えている前記回転体８、第２回転体１０、端部キャップ１３に軸方向から前記筒状体１４を移動させて外装させることにより、該筒状体１４の突起部１６と係合して両者を回転可能とするための被係合部としての軸方向に沿う長溝８Ａ，１０Ａ，１３Ａを、該回転体８、第２回転体１０、端部キャップ１３に備えさせている。尚、前記端部キャップ１３には、長溝１３Ａを形成せずに筒状体１４を端部キャップ１３に外装しなくてもよい。ここで言う外装とは、筒状体１４の多数の受け部１５が３つの部材８，１０，１３の外周面に接触して隙間のない状態で被せた場合（外嵌するという）を示しているが、筒状体１４の多数の受け部１５が３つの部材８，１０，１３の外周面に接触しないで多少隙間を持たせた状態で被せた状態であってもよい。前記筒状体１４の外側面に、軸方向に沿う凹部１４Ａを形成してあり、ケーシング４を筒状体１４に外嵌することにより、該ケーシング４の内面に内方側へ突出し、かつ、軸方向に沿って形成された凸部４Ａが前記筒状体１４の凹部１４Ａに係合し、ケーシング４の回転に伴って筒状体１４が一体回転するようになっている。そして、筒状体１４が回転することにより、回転体８、第２回転体１０、端部キャップ１３が一体回転し、第２回転体１０が回転しながら螺子部１１により軸方向に移動することになるのである。
【００１２】
前記スクリーン用巻取ロール機構を組み立てる手順について説明すれば、まず、支軸７の一端側にコイルスプリング９の一端を貫通止着し、他端を支軸７の他端側に備えた回転体８に形成の一対の溝８Ｍ，８Ｍに係止保持させると共に、前記各部品Ｋ、１０、１２、１３を支軸７にそれぞれ備えさせると同時に筒状体１４を支軸７に挿通させた状態としておく（図３参照）。前記第２回転体１０がダブルナット１２に接当している状態を確認し、接当していない場合には、第２回転体１０を回転させてダブルナット１２に接当させておく。この状態において、支軸７を固定した状態（非回転状態）で回転体８を所定の方向（図３のＨ方向）に所定回数回転させることによりコイルスプリング９に初巻付勢力を付与し、この付与した状態を維持したまま筒状体１４を回転体８、第２回転体１０、端部キャップ１３に外装（外挿）しながら、筒状体１４の突起部１６を長溝８Ａ，１０Ａ，１３Ａに係合させることにより、コイルスプリング９の戻り力により筒状体１４を回転しようとするが、第２回転体１０がダブルナット１２に接当して回転することができないため、筒状体１４の回転が阻止され、コイルスプリングを初巻きした状態を保持できるようになっている。尚、前記筒状体１４を回転体８、第２回転体１０、端部キャップ１３の順に外装（外挿）していくと、端部キャップ１３の端部の側面に突出形成されたフランジ部１３Ｆの端面に筒状体１４の端面が接当して筒状体１４の外装が完了するのである。次に、筒状体１４が外装された後、巻取ロール６を図３に示すように外装（外挿）することによって、スクリーン１の引き出しによる巻取ロール６の回転に伴って筒状体１４、回転体１０、第２回転体１０、端部キャップ１３が一体回転可能となり、スクリーン用巻取ロール機構の組み立てが完了するのである。尚、巻取ロール６の外装（外挿）する方向を、図３に示す方向とは逆の方向にしてもよい。そして、このように組み立てられたスクリーン用巻取ロール機構にスクリーン１を巻き付けてから、前記ブラケット５に取り付けることになる。前記回転体８をＨ方向と逆方向に回転させるようにしてもよいが、この場合には第２回転体１０とダブルナット１２の位置関係を左右逆にすることになる。
【００１３】
前記のように組み立てられたスクリーン用巻取ロール機構の支軸を前記ブラケット５に支持させてから、コイルスプリング９の初巻付勢力に抗してスクリーン１を引き出すことにより、前述のように巻取ロール６、筒状体１４、回転体１０、第２回転体１０、端部キャップ１３が回転し、コイルスプリング９を捻って巻き取り付勢力を増大させながら、引き出し操作を止めることにより、図示していないストップ機構によりその位置で停止する。この後、巻き取るためにストップ機構を解除することによりコイルスプリング９の付勢力により回転体１０、第２回転体１０、端部キャップ１３、筒状体１４、巻取ロール６を回転させてスクリーン１を巻き取り、第２回転体１０がダブルナット１２に接当することにより、スクリーン１の巻き取りが完了するようになっている。
又、前記スクリーン１を例えば素材の異なる別のスクリーン１に取り替えたい場合には、スクリーン１が巻き取られた前記スクリーン用巻取ロール機構をブラケット５から取り外し、別のスクリーン１が巻き取られたスクリーン用巻取ロール機構をブラケット５に取り付けるだけで取り替え作業を完了することができる。
【産業上の利用可能性】
【００１４】
本発明のスクリーン用巻取ロール機構は、取っ手３を下方へ引き下げて収納姿勢のスクリーン１を使用姿勢に姿勢変更するものに適応することができる他、電動モータの電動力を用いて巻取ロールを回転させることにより、スクリーン１を収納姿勢と使用姿勢とに姿勢変更することができるものにも適応することができる。又、本発明のスクリーン用巻取ロール機構は、スクリーンを取り替える必要性のある映写用のスクリーンにおいて特に有効であるが、遮光したり、断熱する場合に用いるスクリーンなどにおいても適応することができる。
【図面の簡単な説明】
【００１５】
【図１】スクリーンを引き出した状態のスクリーン装置の左側の概略斜視図である。
【図２】スクリーン用巻取ロール機構の構成を示す縦断面図である。
【図３】スクリーン用巻取ロール機構を組み立てる直前の状態を示す斜視図である。
【図４】スクリーン用巻取ロール機構の要部を示す斜視図である。
【符号の説明】
【００１６】
１  スクリーン
２  バー
３  取っ手
４  ケーシング
４Ａ  凸部
５  ブラケット
６  巻取ロール
７  支軸
８  回転体
８Ｍ  溝
８Ａ，１０Ａ，１３Ａ  長溝
９  コイルスプリング
１０  第２回転体
１１  螺子部
１２  ダブルナット（接当部）
１３Ｆ  フランジ部
１３  端部キャップ
１３Ａ  長溝
１４Ａ  凹部
１４  筒状体
１５  受け部
１６  突起部
Ａ  スクリーン用巻取ロール機構
Ｋ  一方向クラッチ
【図１】
2005157155.tif 000003
【図２】
2005157155.tif 000004
【図３】
2005157155.tif 000005
【図４】
2005157155.tif 000006